【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
無線信号分配システムにおいて、
長手方向に一様な横断面構造備えると共に、無線信号源から無線信号受信地点近傍まで、無線信号エネルギーの伝送を支援する導電性の内側表面とを有する第１の中空導波管と、
前記無線信号エネルギーを入出力するための前記第１の中空導波管内の信号ポートと、
前記信号ポートに結合された信号結合器と、
を備え、
前記信号結合器は、
前記信号結合器の入力ポートと出力ポートとの間に接続されたインピーダンス変換部と、
前記インピーダンス変換部内に少なくとも一部が含まれた導電部と、
前記第１の中空導波管内に挿入されると共に前記結合器に接続された信号プローブであって、前記信号プローブが前記第１の中空導波管の内部に少なくとも部分的に含まれているときには、前記インピーダンス変換部と前記導電部とが前記信号プローブに対して前記信号プローブのインピーダンスと実質共役のインピーダンスとなるように構成された、前記信号プローブと、
前記信号結合器の前記出力ポートに接続された信号放射器と、
を備えた無線信号分配システム。
【請求項２】
機械的なキャリアトレイ・アセンブリに設置または一体化されている無線信号分配システムにおいて、
キャリアトレイと、
一様な横断面と高導電性の内側表面とを有する第１の中空導波管であって、無線通信導波管としての機能と前記機械的なキャリアトレイ・アセンブリの構造的要素とを兼ねる前記第１の中空導波管であって、前記機械的なキャリアトレイ・アセンブリはケーブルとパイプとチューブとダクトとを支援する、前記第１の中空導波管と、
前記第１の中空導波管とエネルギーを交換するために、前記第１の中空導波管の予め選択された位置で前記第１の中空導波管に挿入された信号プローブと、
前記信号プローブに結合された信号結合器と、
を備えた無線信号分配システム。
【請求項３】
さらに、無線通信導波管として機能と前記機械的なキャリアトレイ・アセンブリの構造的要素とを兼用する一様な断面の第２の中空導波管を備える請求項２記載の無線信号分配システム。
【請求項４】
無線信号分配および消化兼用システムにおいて、
無線信号の分配のための配管として一時的に使用されると共に消化剤を送るための配管として一時的に使用される中空導波管として機能する金属パイプであって、前記金属パイプ内にある当初加圧されたガスの圧力を減ずることによって前記消化剤を前記金属パイプに放出する、前記金属パイプと、
前記消化剤を送る前記金属パイプに接続されていると共に、前記金属パイプと電磁エネルギを交換するために、前記金属パイプの予め選択された位置で前記金属パイプに結合された信号結合器と、
無線信号分配システムにおける無線信号アンテナであると共にガスチャージされた消化システムにおける通常の消化ヘッドとして通常機能する両方の働きをする信号結合器に取り付けられた兼用ヘッドと、
を備えたシステム。
【請求項５】
前記金属パイプの内側表面は、高周波無線信号を伝搬するために十分の厚みがある高導電性の金属でコーティングされている請求項４記載のシステム。
【請求項６】
パイプの分配、取り付け、曲げ、接続の関係が、導波管の信号分配と前記消化剤の流れとを決める請求項４記載のシステム。
【請求項７】
さらに、長手方向に一様な中空断面構造と、無線信号源から無線受信地点近傍まで無線信号エネルギーの伝搬を支援する導電性の内側表面とを備えた第２の中空導波管を備えた請求項１または２記載の無線分配システム。
【請求項８】
前記第１の中空導波管と前記第２の中空導波管とは共に、同一帯域内の一群の周波数を伝搬するように構成されており、前記第１の中空導波管内の前記一群の周波数は、少なくとも瞬時の振幅、周波数または位相の点において、前記第２の中空導波管内の前記一群の周波数と非相関である請求項７記載の無線信号分配システム。
【請求項９】
前記第１の中空導波管の形状は、丸型、楕円型、方形型または所望の無線周波数の帯域が伝搬する一様な横断面の任意の線型の中空形状である請求項１または２記載の無線信号分配システム。
【請求項１０】
前記無線信号分配システムは、ＨＶＡＣ排気プレナムで使用するために、政府や産業界が規制する火煙に関する規則に適合する請求項１または２記載の無線信号分配システム。
【請求項１１】
さらに、第１の中空導波管に接続された端部アセンブリを備える請求項１または２記載の無線信号分配システム。
【請求項１２】
前記信号プローブは、前記第１の中空導波管内で電場によって励起される長手方向の導電部である請求項１または２記載の無線信号分配システム。
【請求項１３】
前記信号プローブの位置は、前記第１の中空導波管から抽出された無線信号エネルギの総量を変えるために調整できる請求項１または２記載の無線信号分配システム。
【請求項１４】
前記信号プローブの位置は遠隔制御できる請求項１３記載の無線信号分配システム。
【請求項１５】
前記信号結合器は、該信号結合器の機械的位置データを測定し報告するために前記信号結合器自身に内蔵された少なくともひとつのセンサを備える請求項１または２記載の無線信号分配システム。
【請求項１６】
前記第１の中空導波管の側面部に位置する少なくともひとつの前置の開口を備え、前記前置の開口は前記導波管から自由空間までの直接放射器である請求項１または２記載の無線信号分配システム。
【請求項１７】
前記開口は、開きのサイズが変化する請求項１６記載の無線信号分配システム。
【請求項１８】
前記信号プローブは、導波管内の磁場によって励起されたループを備える請求項１または２記載の無線分配システム。
【請求項１９】
前記ループのサイズを変化させることによって、前記第１の中空導波管から信号エネルギーの変化量を結合する請求項１８記載の無線信号分配システム。
【請求項２０】
前記信号プローブの軸周りの前記ループが回転することによって、前記第１中空導波管から信号エネルギーの変化量を結合する請求項１８記載の無線信号分配システム。
【請求項２１】
さらに、前記第１の中空導波管の軸に対して垂直となる軸の周りの前記ループの回転位置を示すインジケータを備える請求項２０記載の無線信号分配システム。
【請求項２２】
さらに、無線放射器と結合するための前記信号結合器のポートと、前記信号結合器の前記ポートに結合された信号放射器とを備える請求項２記載の無線分配システム。
【請求項２３】
信号インターフェイス・アセンブリは、前記第１の中空導波管に付され、前記信号インターフェイス・アセンブリは、送信機、受信器、トランシーバ、ひとつまたは複数のフィルター、合波器、デュプレクサ、ひとつまたは複数の増幅器の中のひとつ以上である請求項１または２記載の無線信号分配システム。
【請求項２４】
さらに、前記導波管内の少なくともひとつの所定の位置で信号をモニターする前記信号結合器に結合された少なくともひとつの周波数検出器を備えた請求項１または２記載の無線信号分配システム。
【請求項２５】
前記第１の中空導波管内のひとつ以上の伝搬モードを使用することによって、前記第１の中空導波管へ予め決定された周波数の中の２つ以上の信号を多重化する請求項１または２記載の無線分配システム。
【請求項２６】
無線分配システムを操作する方法において、
無線分配システムを設けるステップを備え、
該無線分配システムは、
長手方向に一様な中空断面構造を備えると共に、無線信号源から無線受信地点近傍まで、無線信号エネルギーの伝送を支援する導電性の内側表面とを備えた第１の中空導波管と、
無線信号エネルギーを入出力するための第１の中空導波管内の複数の信号ポートと、
前記複数の信号ポートに結合された複数の信号結合器であって、該複数の信号結合器のそれぞれは、
前記信号結合器のそれぞれの入力ポートと出力ポートとの間に接続されたインピーダンス変換部と、
前記インピーダンス変換部内に少なくとも部分的に含まれている導電体と、
前記導波管に挿入され、前記導電体に結合された信号プローブであって、前記信号プローブが少なくとも部分的に前記第１の中空導波管内部に含まれているときに、前記インピーダンス変換部と前記導電体とが、前記信号プローブに対して、前記信号プローブとほぼ共役なインピーダンスをなすことができるように構成された前記信号プローブと、
を備えた前記複数の信号結合器と、
前記複数の信号結合器のそれぞれの前記出力ポートに接続された信号放射器と、
を備え、
予め選択された帯域内に第１群の無線信号を前記第１の中空導波管へ挿入するステップと、
を備える方法。
【請求項２７】
さらに、第２群の無線信号を前記第１の中空導波管へ挿入するステップを備え、
前記第１群および第２の群無線信号の周波数は同一の帯域内にあり、前記第１群の無線信号は、前記第２群の信号の少なくとも瞬時の振幅、周波数または位相と非相関である請求項２６記載の方法。
【請求項２８】
さらに、長手方向に均一な中空断面構造と、無線信号源から無線受信器近傍まで無線信号エネルギーの伝送を支援する導電性の内側表面とを有する第２の中空導波管を設けるステップを備える請求項２６記載の方法。
【請求項２９】
さらに、前記無線分配システム内に設けられた前記第１の中空導波管から放射された前記第１群の無線出力信号を第１の受信器で受信するステップと、
少なくとも瞬時の振幅、周波数または位相の点で第１群の周波数とは異なる前記第２の中空導波管から放射された第２群の無線出力信号を第２の受信器で受信するステップと、
前記第１群と第２群の無線出力信号のそれぞれから別個の情報を取得するステップと、
を備えた請求項２８記載の方法。
【請求項３０】
前記第１の中空導波管と前記第２の中空導波管とが、同一の帯域内にある一群の周波数を伝送するように構成されており、前記第１の中空導波管内の前記一群の周波数は、少なくとも瞬時の振幅、周波数または位相の点で前記第２の中空導波管内の前記一群の周波数と非相関である請求項２９記載の方法。
【請求項３１】
さらに、前記第２の中空導波管の予め選択された位置で前記第２の中空導波管に信号結合器を結合するステップとを備え、前記第１の中空導波管の複数の信号ポートの少なくともひとつの位置と、前記第２の中空導波管の予め選択された位置とは前記第１および第２の導波管それぞれの同一の直線位置にある請求項２８記載の方法。
【請求項３２】
前記信号放射器の少なくともひとつから放射された第１群の無線出力信号を第１の受信器で受信するステップと、
少なくとも瞬時の振幅、周波数または位相の点で前記第１群の無線出力信号と異なる、前記複数の信号放射器の別のひとつから放射される第２群の無線出力信号を第２の受信器で受信するステップと、
前記第１と第２の無線出力信号のそれぞれから別個の情報を得るステップと、
を備える請求項２６の方法。
【請求項３３】
前記第１群と第２群の無線信号は、それぞれが、ＩＥＥＥ８０２．１１ｎ規格のような複数入力複数出力（ＭＩＭＯ）の動作ができる形式となっている請求項３２記載の方法。
【請求項３４】
さらに、前記第１の中空導波管に前置の開口を設けるステップを備え、前記前置の開口は、前記導波管から自由空間への直接放射器である請求項２６または請求項２８記載の方法。
【請求項３５】
前記信号プローブの少なくとも２つは前記第１の中空導波管の同一の直線位置にあり、前記第１の中空導波管の軸に対してほぼ９０度離れるように前記第１の中空導波管に結合される請求項２６または２７記載の方法。
【請求項３６】
前記複数の信号結合器の少なくともひとつは、前記第２の中空導波管に結合された信号結合器として、前記第１の中空導波管の同一の直線位置で、離されている請求項２８記載の方法。
【請求項３７】
さらに、前記導波管から信号エネルギーの変動量を結合するために前記複数の信号結合器のひとつに関して機械的変動を調整するステップと備える請求項２６記載の方法。